(57)【要約】【課題】球が拡大されかつ照明されつつ球通路を迅速に通過できるようにする。【解決手段】表示灯３９が点灯して球誘導通路１５と球誘導通路１５を通過する球Ｐおよび凸レンズ４７を照明し、凸レンズ４７が球誘導通路１５を通過する球Ｐを拡大して可変入賞装置１の前側から見えるようになり、球誘導通路１５が前導光体４３の平坦面なる前面と前壁４６の平坦面たる裏面と内側壁４８の平坦面なる外面と外側壁４９の平坦面なる内面とによって囲まれていることによって、球Ｐが球誘導通路１５を迅速に通過することができる。【選択図】図１
2008061685.tif 000002
【特許請求の範囲】
【請求項１】
遊技盤の遊技領域に取り付けられる遊技部品であって、遊技部品の前側から通過する球を見せるように形成された球通路と、球通路を裏側から照明する表示灯と、表示灯から発射された光を球通路の側に拡散して放出する導光体とを備え、球通路の前壁の裏面が平坦面として形成され、球通路の前壁の前面が前側に突出する凸レンズとして形成され、導光体が球通路の後壁を構成し、この導光体の前面が平坦面として形成され、導光体の裏面が凹凸部として形成されたことを特徴とするパチンコ遊技機の遊技部品。
【発明の詳細な説明】
【技術分野】
【０００１】
本発明は、球が拡大されかつ照明されつつ球通路を迅速に通過するパチンコ遊技機の遊技部品に関する。
【背景技術】
【０００２】
図６は、特許文献１で開示された遊技部品８１を示す。図６のａ図に示すように、遊技部品８１は、球を上部の球流入口８２から球通路８３を経由して下部の流出口８４に誘導するようになっている。図６のｂ図に示すように、球通路８３の前側を閉じる前壁８８が前後に凹凸する意匠レンズとして構成され、球通路８３の後側を閉じる後壁８５が拡散レンズとして構成され、後壁８５には導光体８６が後壁８５から球通路８３に突出する突起として設けられ、球通路８３よりも裏側には表示灯８７が設けられ、表示灯８７が点灯することによって、球通路８３を通過する球Ｐを遊技者に照明しかつ拡大して見せるようになっている。しかしながら、意匠レンズが前壁８８の裏面にも突出し、導光体８６が後壁８５から球通路８３に突出した構造であるので、球Ｐが矢印Ｘ２で示すように球通路８３を上から下に通過する場合に前後方向に蛇行し、球Ｐが球通路８３を迅速に通過することができないという欠点がある。
【特許文献１】特開２００３−１５９３８３号公報
【発明の開示】
【発明が解決しようとする課題】
【０００３】
発明が解決しようとする問題点は、球が球通路を迅速に通過することができないという点である。
【課題を解決するための手段】
【０００４】
本発明に係るパチンコ遊技機の遊技部品は、遊技盤の遊技領域に取り付けられる遊技部品であって、遊技部品の前側から通過する球を見せるように形成された球通路と、球通路を裏側から照明する表示灯と、表示灯から発射された光を球通路の側に拡散して放出する導光体とを備え、球通路の前壁の裏面が平坦面として形成され、球通路の前壁の前面が前側に突出する凸レンズとして形成され、導光体が球通路の後壁を構成し、この導光体の前面が平坦面として形成され、導光体の裏面が凹凸部として形成されたことを最も主要な特徴とする。
【発明の効果】
【０００５】
本発明に係るパチンコ遊技機の遊技部品は、球通路の前壁の裏面が平坦面として形成され、球通路の前壁の前面が前側に突出する凸レンズとして形成され、導光体が球通路の後壁を構成し、この導光体の前面が平坦面として形成され、導光体の裏面が凹凸部として形成されたことによって、球が拡大されかつ照明されつつ球通路を迅速に通過することができるという利点がある。
【発明を実施するための最良の形態】
【０００６】
図１乃至図５は、発明を実施するための最良の形態である。図１のａ図は、図２の球誘導通路１５をＡ−Ａ線に沿って切断した断面を示す。図１のｂ図は、図１のａ図の球誘導通路１５をＢ−Ｂ線に沿って切断した断面を示す。図２は、図４の可変入賞装置１をＣ−Ｃ線に沿って切断した断面を示す。図３は、可変入賞装置１の外観を前側から示す。図４は、可変入賞装置１の正面を示す。図５はパチンコ遊技機の正面を示す。本明細書において、「前」、「表」、「後」、「裏」、「左」、「右」、「上」、「下」の方向は、図５の状態にパチンコ遊技機を置いて前側から見た場合に特定される方向である。「前」および「表」は、同じ方向である。「後」および「裏」は、同じ方向である。
【０００７】
図中の符号として、１は可変入賞装置、２は部品基盤、３は前開口部、４は取付孔、５は前隔壁、６は前仕切壁、７は球取入口部、８は開閉体、９は球導入通路、１０は開閉駆動機構、１１は開閉軸、１２は入球検出部、１３は入球検出器、１４は球導出通路、１５は球誘導通路、１６は通路球出口、１７は上球振分体、１８は振分駆動機構、１９は振分軸、２０は前落下口、２１は振分突起、２２は球停留体、２３は停留駆動機構、２４は停留軸、２５は停留台、２６は中球受容部、２７は側球受容部、２８は停留球検出器、２９は下球振分体、３０は当たり球取入部、３１は球取入駆動機構、３２は外れ球取入部、３３は上化粧体、３４は下化粧体、３５はステージ、３６はステージ入口、３７は後隔壁、３８は表示灯基板、３９は表示灯、４０は内横導光体、４１は凹凸部、４２は外横導光体、４３は前導光体、４４は凹凸部、４５は空間、４６は前壁、４７は凸レンズ、４８は内側壁、４９は外側壁、５０は外装体、５１はレンズ窓、５２は保護パネル、５３乃至６０は欠番、６１は遊技機筐体、６２は窓、６３は前面パネル、６４は球受皿、６５は球発射操作機構、６６は球発射機構、６７は遊技盤、６８は遊技領域、６９はガイドレール、７０はアウト口、７１は始動部品、７２は部品逃避孔を示す。
【０００８】
図１を参照し、球を可変入賞装置１の前側から見せる球通路を構成する球誘導通路１５について説明する。表示灯基板３８は、回路基板により構成され、球誘導通路１５よりも裏側に配置される。表示灯３９は、ＬＥＤなどにより構成され、表示灯基板３８の前面に実装される。内横導光体４０は、無色な合成樹脂により板状に構成され、球誘導通路１５と表示灯基板３８との間に配置される。凹凸部４１は、内横導光体４０の外横導光体４２と対向する側の面に形成される。外横導光体４２は、無色な合成樹脂により板状に構成され、球誘導通路１５と表示灯基板３８との間に配置され、内横導光体４０と離れて対向する。前導光体４３は、球誘導通路１５の後側を閉じる後壁を構成する導光体として、無色な合成樹脂により板状に構成され、内横導光体４０の前側および外横導光体４２の前側に接触するかまたは接触する程度に近づけられて配置される。前導光体４３の前面は、平坦面として構成される。凹凸部４４は、前導光体４３の表示灯基板３８と対向する側の裏面に形成される。空間４５は、表示灯基板３８と内横導光体４０と外横導光体４２および前導光体４３によって囲まれる。
【０００９】
前壁４６は、球誘導通路１５の前側を閉じるものであって、無色な合成樹脂により板状に構成される。凸レンズ４７は、前壁４６の外側または内側から中央側に行くにしたがって徐々に前側に突出する弧状として、前壁４６の前面に形成される。前壁４６の外側または内側は、図１のａ図において、球誘導通路１５を矢印Ｓで示す前側から見た場合に左側または右側に相当する。前壁４６の球誘導通路１５に臨む裏面は、平坦面として構成される。内側壁４８は、球誘導通路１５の内側を閉じるものであって、無色な合成樹脂により板状に構成される。外側壁４９は、球誘導通路１５の外側を閉じるものであって、無色な合成樹脂により板状に構成される。外装体５０は、前壁４６と内側壁４８および外側壁４９の外側を覆い隠す化粧を構成するものである。レンズ窓５１は、凸レンズ４７を露出させるために、前後方向への貫通孔として、外装体５０に形成される。
【００１０】
つまり、表示灯３９が点灯して球誘導通路１５と球誘導通路１５を通過する球Ｐおよび凸レンズ４７を照明し、凸レンズ４７が球誘導通路１５を通過する球Ｐを拡大して可変入賞装置１の前側から見えるようにする。しかも、球誘導通路１５が、前導光体４３の平坦面なる前面と、前壁４６の平坦面たる裏面と、内側壁４８の平坦面なる外面と、外側壁４９の平坦面なる内面とによって囲まれているので、球Ｐが球誘導通路１５を迅速に通過することができる。よって、球Ｐが拡大されかつ照明されつつ球誘導通路１５を迅速に通過することができるという利点がある。
【００１１】
図３および図４を参照し、パチンコ遊技機の球誘導通路１５を備えた遊技部品を構成する可変入賞装置１について説明する。部品基盤２は、遊技盤６７に前側から取り付けられる可変入賞装置１における前側部品としての土台であって、光遮蔽性の有る有色な合成樹脂により構成される。前開口部３は、部品基盤２の中央部に前後方向への貫通孔として設けられる。取付孔４は、遊技盤６７に部品基盤２を固定する止ねじを挿入するものであって、部品基盤２の周縁部に前後方向への貫通孔として設けられる。前隔壁５は、前開口部３を塞ぐ板状であって、光透過性の有る無色な合成樹脂により構成され、部品基盤２に固定される。前仕切壁６は、遊技盤６７の遊技領域６８から球を進入させない内部領域を囲むものであって、部品基盤２の前面および前隔壁５の前面よりも前側に突出し、前開口部３の周縁部に沿って、前隔壁５の前面を囲む前面視環状の塀を構成する。球取入口部７は、遊技領域６８から球を内部領域に進入させるために、前仕切壁６の最上部が除去された部分として、前仕切壁６の最上部に設けられる。
【００１２】
開閉体８は、左右一対として、球取入口部７に設けられる。球導入通路９は、開閉体８が図４に示すように開放された場合、上方の遊技領域６８から取り込んだ球を入球検出部１２の側に誘導するものであって、開閉体８の裏面から内部への窪みとして設けられる。開閉駆動機構１０は、上化粧体３３の裏側に設けられ、開閉軸１１を中心とし、開閉体８を遊技領域６８と平行しつつ上下方向に開閉する。開閉体８が開閉軸１１を中心として図３に示すように球取入口部７を閉鎖するように閉じられた場合、開閉体８は前仕切壁６に連なる環状を形成し、球取入口部７が球を開閉体８および前仕切壁６の外側から前仕切壁６の内側における前隔壁５の前面の側に取り込めないようになる。つまり、開閉体８が閉じられた場合、開閉体８および前仕切壁６で囲まれた前隔壁５の前面が遊技盤６７の遊技領域６８から球を進入させない内部領域となる。
【００１３】
入球検出部１２は、開放した開閉体８の球導入通路９から排出された球を取り込み、取り込んだ球を前隔壁５の裏側に排出するものであって、球取入口部７よりも下部で、球取入口部７の真下に位置し、前隔壁５から前側に突出するように、前隔壁５に設けられる。入球検出器１３は、前隔壁５の裏側から入球検出部１２の内部に設けられ、入球検出部１２を通過する球を検出して電気的な球検出信号を図外の制御装置に出力する。球導出通路１４は、入球検出部１２から前隔壁５の裏側に排出された球を、前隔壁５の裏面に沿って球誘導通路１５に誘導する。球導出通路１４の前面は、前隔壁５の裏面で形成される。球導出通路１４の裏面は、前隔壁５の裏側に前隔壁５と平行に配置された上化粧体３３の前面で形成される。球導出通路１４の底面は、前隔壁５の裏面と上化粧体３３の前面とに連接された横板の上面で形成され、入球検出部１２の球出口から球誘導通路１５の側に下り勾配となる斜面として構成される。
【００１４】
球誘導通路１５は、球導出通路１４から前隔壁５の前側に貫通して排出された球を、前仕切壁６の内部を経由させ、内部領域の中段に位置する通路球出口１６から上球振分体１７の上に排出する。通路球出口１６は、球誘導通路１５の内部領域の側を仕切る内壁に左右方向への貫通孔として形成される。上球振分体１７は、前仕切壁６で囲まれた内部領域の上下方向の中段に位置するように前隔壁５の裏側に配置された板状に構成され、球誘導通路１５から排出された球を、下化粧体３４の裏側やステージ３５の裏側に設けられた振分駆動機構１８によって、左右前部の振分軸１９を中心として、上下動することによって、球誘導通路１５から排出された球を左右に振り分ける。前落下口２０は、前側および上下方向に開口する凹部または上下方向への貫通孔として、上球振分体１７の前部の左右方向中央部に設けられる。振分突起２１は、上球振分体１７の上面から上方に突出する突起として、上球振分体１７の上面に設けられる。
【００１５】
球停留体２２は、上球振分体１７と下球振分体２９との間に位置するように前隔壁５の裏側に配置され、下化粧体３４の裏側やステージ３５の裏側に設けられた停留駆動機構２３によって、左右下部の停留軸２４を中心として、前側に垂直状に起立したり後側に水平状に倒伏したりする。球停留体２２が図４に示すように起立した場合、球停留体２２が上球振分体１７の前落下口２０から落下した球を停留台２５の上に停留するように受け止める。球停留体２２が図３に示すように倒伏した場合、停留台２５の上に停留した球が球停留体２２の上を通過して下球振分体２９の上に排出される。
【００１６】
停留台２５は、球停留体２２と前隔壁５との間に配置される。中球受容部２６は、上球振分体１７の前落下口２０の真下に位置し、停留台２５の上面から内部に窪みかつ前後に開口した凹部として、停留台２５の上部の左右方向中央部に設けられる。側球受容部２７は、中球受容部２６の左右に位置する停留台２５の上面に設けられ、中球受容部２６から左側に下り勾配となるように、停留台２５の上面から内部に窪みかつ前後に開口した凹部と、中球受容部２６から右側に下り勾配となるように、停留台２５の上面から内部に窪みかつ前後に開口した凹部とにより構成される。
【００１７】
そして、球停留体２２が起立した状態において、中球受容部２６が上球振分体１７の前落下口２０から落下した１個の球が収容可能であり、側球受容部２７が上球振分体１７の前落下口２０から落下した複数個の球が収容可能である。停留球検出器２８は、中球受容部２６に受容された球を検出して電気的な球検出信号を図外の制御装置に出力するように、停留台２５の内部に設けられる。制御装置が停留球検出器２８から入力した球検出信号に基づき停留駆動機構２３を制御し、停留台２５が倒伏・起立動作を行う。下球振分体２９は、静止した状態で前隔壁５の裏側に配置され、前側から後側への下り勾配の斜面を構成し、球停留体２２から排出された球を前側から後側に流下させる過程で左右に振り分ける。
【００１８】
当たり球取入部３０は、上球振分体１７の後側および下球振分体２９の裏側に配置され、下化粧体３４の裏側やステージ３５の裏側に配置された球取入駆動機構３１によって、左右に往復移動する。そして、上球振分体１７から後側または下球振分体２９から後側に排出された球は、当たり球取入部３０または外れ球取入部３２のいずれかに取り込まれる。外れ球取入部３２は、上方に開口した凹部を備え、凹部内を当たり球取入部３０が左右に往復移動するので、当たり球取入部３０に入らない球が外れ球取入部３２に入る。当たり球取入部３０に入った球は、当たり球取入部３０に対応して設けられた図外の入賞球検出器で検出された後に下方に排出される。外れ球取入部３２に入った球は、外れ球取入部３２に対応して設けられた図外の外れ球検出器で検出された後に下方に排出される。
【００１９】
上化粧体３３は、可変入賞装置１の前側から球取入口部７の裏側や入球検出部１２の裏側が見えないように目隠しする有色な合成樹脂により構成され、前隔壁５の前側に設けられる。下化粧体３４は、可変入賞装置１の前側から下球振分体２９よりも下部が見えないように目隠しする有色な合成樹脂により構成され、前隔壁５の前側に設けられる。ステージ３５は、部品基盤２の前面から後側に窪むように有色な合成樹脂により構成され、部品基盤２の前面にだけ開口した空間であって、遊技領域６８からステージ入口３６を経由して取り込まれた球を、左右に自在に躍らせた後、中央の凹部から下方の遊技領域６８に落下させる。ステージ入口３６は、遊技領域６８から前仕切壁６の側に進行した球を斜め上方から下方に取り込んだ後、前側から後側に誘導してステージ３５の右または左の側部に排出する。後隔壁３７は、上球振分体１７および下球振分体２９などの配置される空間を囲むように、部品基盤２の裏部に設けられる。後隔壁３７の後部開口は、保護パネル５２で塞がれる。よって、当たり球取入部３０に取り込まれることなく上球振分体１７または下球振分体２９から後側に排出される球は、保護パネル５２で後隔壁３７の後部開口から裏側に飛び出ることのなく外れ球取入部３２に誘導される。
【００２０】
図２を参照し、球Ｐが可変入賞装置１の開閉体８から上球振分体１７に到達する経路について説明する。上球振分体１７が仮想線で示すように前傾状となり、上球振分体１７の後部が前部よりも上方に位置した場合、球が上球振分体１７の上面を後側から前側に流下するようになる。上球振分体１７が実線で示すように後傾状となり、上球振分体１７の前部が後部よりも上方に位置した場合、球が上球振分体１７の上面を前側から後側に流下するようになる。球Ｐが、矢印Ｘ１で示すように、遊技領域６８から開閉体８の開放された球取入口部７、入球検出部１２、入球検出器１３、球導出通路１４、球誘導通路１５、通路球出口１６を経由して上球振分体１７の上に排出される。この上球振分体１７の上に排出された球Ｐは、上球振分体１７の振分軸１９を中心とした上下動に伴い、上球振分体１７の後側から当たり球取入部３０または外れ球取入部３２の何れか一方に取り込まれるか、または、上球振分体１７の前側の前落下口２０から下球振分体２９に落下し、下球振分体２９の後側から当たり球取入部３０または外れ球取入部３２の何れか一方に取り込まれる。
【００２１】
球導出通路１４の前面および球誘導通路１５の前面が光透過性の有る無色な合成樹脂からなる前隔壁５の裏面で形成されたので、開閉体８の球導入通路９（図３のｂ図参照）と入球検出部１２および前仕切壁６における球誘導通路１５と対応する部分が可変入賞装置１の前側からそれらの裏側まで見えるように例えば光透過性の有る素材で形成されたりまたは貫通孔を有するようにすれば、遊技領域６８から、開いた開閉体８、球取入口部７、入球検出部１２、球導出通路１４、球誘導通路１５を順に経由して上球振分体１７の上に到達するまでの球を、可変入賞装置１の前側から遊技者に見せることができるという利点がある。
【００２２】
図５を参照し、可変入賞装置１の用いられたパチンコ遊技機について説明する。遊技機筐体６１は、遊技盤６７を交換可能に収容する容器として、遊技機設置構造体に設置される。遊技機設置構造体は、遊技店のパチンコ遊技機を設置する島とも呼ばれる設備である。窓６２は、前後方向への貫通孔として、遊技機筐体６１の前面に形成される。前面パネル６３は、窓６２を閉鎖するガラスのような無色の光透過性の有る材料から構成され、遊技機筐体６１の内部に設けられる。球受皿６４は、パチンコ球と呼ばれる球を入れる容器として、遊技機筐体６１の前面に設けられる。球発射操作機構６５は、遊技者の操作量に応じた出力を図外の制御装置に出力する電気部品を有する機構として、遊技機筐体６１の前面に設けられる。球発射機構６６は、図外の制御装置からの制御によって球発射操作機構６５の操作量に応じた発射力で駆動する機構として、遊技機筐体６１の内部に設けられる。
【００２３】
遊技盤６７は、遊技機筐体６１に格納される。遊技盤６７が遊技機筐体６１に格納された場合、可変入賞装置１、遊技領域６８、ガイドレール６９、アウト口７０、始動部品７１が、遊技機筐体６１の前側から窓６２および前面パネル６３を通して視認可能になる。遊技領域６８は、球発射機構６６から発射された球の飛び交う領域として、前面パネル６３と遊技盤６７の前面との間におけるガイドレール６９で囲まれた部分として形成される。ガイドレール６９は、遊技機筐体６１または遊技盤６７に設けられる。アウト口７０は、遊技領域６８の最下部に到達した球を遊技盤６７の裏側に排出する部分として遊技盤６７に設けられる。可変入賞装置１や始動部品７１および図外の一般入賞部品は、遊技領域６８から入賞した球を遊技盤６７の裏側に排出する部品として、遊技盤６７に設けられる。遊技盤６７の前面には、図外の確定表示器が設けられる。
【００２４】
遊技者が球受皿６４にパチンコ球と呼ばれる球を入れ、遊技者が球発射操作機構６５を右回りに操作すると、球発射機構６６が球発射操作機構６５の操作量に応じた発射力で駆動し、球発射機構６６が球受皿６４から遊技機筐体６１の内部に取り込まれた球を１個ずつ遊技領域６８に向けて発射する。遊技領域６８に到達した球は、遊技領域６８を流下する過程において、可変入賞装置１や始動部品７１および図外の一般入賞部品などの遊技部品に衝突して、流れる方向を変えながら、可変入賞装置１または始動部品７１または図外の一般入賞部品に入って遊技盤６７の裏側に排出される。可変入賞装置１または始動部品７１または図外の一般入賞部品のいずれにも入らないで、遊技領域６８の最下部に到達した球は、アウト口７０から遊技盤６７の裏側に排出される。球が始動部品７１、可変入賞装置１の入球検出器１３、図外の入賞部品のいずれかに入ると、図外の球払出機構が賞球としての球を遊技者に与えるように球受皿６４に払い出す。
【００２５】
パチンコ遊技の一例について説明する。遊技領域６８を流下する球が始動部品７１に入賞し、始動部品７１に入賞した球を検出した入賞球検出器が入賞信号を制御装置に出力すると、制御装置に内蔵されたコンピュータが抽選処理および図外の確定表示器に図柄などの変動表示を開始させる。抽選処理の結果としては、例えば、大当たりまたは小当たりのいずれかが選択される。大当たりの場合、確定表示器の変動表示開始から所定時間後に、制御装置のコンピュータが確定表示器に図柄の変動停止を行い、確定表示器が大当たり図柄として定められた図柄を停止表示する。引き続き、制御装置のコンピュータが大当たり遊技として制御装置のコンピュータのプログラムに定められたラウンド遊技を処理するように開閉駆動機構１０（図１参照）を制御し、可変入賞装置１の開閉体８が開閉をラウンド遊技の範囲で繰り返す。
【００２６】
小当たりの場合、主図柄の変動表示を開始から所定時間後に、制御装置のコンピュータが確定表示器に主図柄の変動停止を行い、確定表示器が小当たり図柄として定められた主図柄を停止表示する。引き続き、制御装置のコンピュータが小当たり遊技として制御装置のコンピュータのプログラムに定められた範囲で開閉駆動機構１０を制御し、可変入賞装置１の開閉体８が開閉を１回または数回行う。この小当たり遊技中における開閉体８の開放中において、球が遊技領域６８から開いた開閉体８、球取入口部７、入球検出部１２、球導出通路１４、球誘導通路１５、上球振分体１７または球停留体２２、停留台２５、下球振分体２９を順に経由して当たり球取入部３０に入賞し、当たり球取入部３０に入賞した球を検出した図外の当たり球検出器が球検出信号を制御装置に出力すると、制御装置のコンピュータがラウンド遊技を処理するように開閉駆動機構１０を制御し、可変入賞装置１の開閉体８が開閉をラウンド遊技の範囲で繰り返す。制御装置は、入球検出器１３からの球検出信号と外れ球検出器からの球検出信号と当たり球検出器からの入賞信号とによって、可変入賞装置１への球の入りと出とを監視する。
【産業上の利用可能性】
【００２７】
図１において、外装体５０が設けられなくてもよい。球誘導通路１５の球入口は、図４の入球検出部１２のように部品基盤２から前側に突出したポケットタイプに形成されてもよい。この場合、図４の開閉体８や球導出通路１４は設けられていない。球誘導通路１５への球入口には、図４の入球検出器１３が設けられなくてもよい。球誘導通路１５の球出口は、図４の部品基盤２から前側に球を排出する構造でもよい。球通路としては、球誘導通路１５に置換し、球導出通路１４により構成してもよい。球通路としては、球誘導通路１５および球導出通路１４により構成してもよい。内横導光体４０と凹凸部４１および外横導光体４２は、設けられなくてもよい。
【図面の簡単な説明】
【００２８】
【図１】ａ図はＡ−Ａ線断面図、ｂ図はＢ−Ｂ線断面図（最良の形態）。
【図２】Ｃ−Ｃ線断面図（最良の形態）。
【図３】可変入賞装置の斜視図（最良の形態）。
【図４】可変入賞装置の正面図（最良の形態）。
【図５】パチンコ遊技機の正面図（最良の形態）。
【図６】ａ図は遊技部品の正面図、ｂ図はＤ−Ｄ線断面図（従来）。
【符号の説明】
【００２９】
１    可変入賞装置（遊技部品）
１５  球誘導通路（球通路）
４３  前導光体
４４  凹凸部
４６  前壁
４７  凸レンズ
４８  内側壁
４９  外側壁
【図１】
2008061685.tif 000003
【図２】
2008061685.tif 000004
【図３】
2008061685.tif 000005
【図４】
2008061685.tif 000006
【図５】
2008061685.tif 000007
【図６】
2008061685.tif 000008